(57)【要約】【課題】  或る物品の他の物品に対する取付け強度の向上を図ると共に、取付け及び取外しを簡単に短時間で行うことができる物品取付具を提供すること。【解決手段】  第２物品の支持棒２０を第１物品の刈払機１６のハンドルシャフト１７に取り付けるものであって、ハンドルシャフト１７に取り付けられる第１取付部材２１と、支持棒２０に取り付けられる第２取付部材２２とを備える第１物品取付具１８において、第１取付部材２１は、ハンドルシャフト１７を着脱自在に把持するための第１把持部２３と、第１把持部２３の両方の各端部に形成された一対の半割部２６、２６とを備え、第１把持部２３がハンドルシャフト１７を把持するときに、一対の半割部２６、２６が、互いに略合わさった状態となって第１連結部２７を形成し、第２取付部材２２は、第１連結部２７が着脱自在に内側に挿入されて連結される第１被連結部２８を有する。【選択図】      図３
0003146010.tif 000002
【実用新案登録請求の範囲】
【請求項１】
第２物品を第１物品に取り付けるためのものであって、第１物品に取り付けられる第１取付部材と、第２物品に取り付けられる第２取付部材とを備え、第１取付部材と第２取付部材とを、第１連結部及び第１被連結部を介して互いに連結することができる物品取付具において、
前記第１取付部材は、第１物品を着脱自在に把持するための第１把持部と、前記第１把持部の両方の各端部に形成された一対の半割部とを備え、
前記第１把持部が第１物品を把持するときに、前記一対の半割部が、互いに略合わさった状態となって前記第１連結部を形成し、
前記第２取付部材は、前記第１連結部が着脱自在に内側に挿入されて連結される前記第１被連結部を有することを特徴とする物品取付具。
【請求項２】
前記第１把持部は、ヒンジ部を介して互いに揺動自在に連結し、第１物品を把持するための第１把持部材及び第２把持部材を有し、
前記第１連結部は、テーパ雄ねじ部であり、前記一対の各半割部には、半割テーパ雄ねじ部が形成され、
前記第１被連結部には、前記第１連結部が螺合されるテーパ雌ねじ部が形成されていることを特徴とする請求項１記載の物品取付具。
【請求項３】
前記第１取付部材は、第１物品としての刈払機のハンドルシャフトを把持してそのハンドルシャフトに取り付けられ、
前記第２取付部材は、短円筒状に形成され、一端部に前記第１被連結部が形成され、他端部には、第２物品としての支持棒の端部を挿入して取り付けることができるように装着孔が形成されていることを特徴とする請求項１又は２記載の物品取付具。
【請求項４】
第２物品を第１物品に取り付けるための物品取付具において、
第１物品を着脱自在に把持するための第２把持部と、
前記第２把持部の一方の端部側に設けられ第２物品を着脱自在に取り付けることができる第２取付部と、
前記第２取付部の外面に設けられた係合部と、
前記第２把持部の他方の端部側に設けられた被係合部とを備え、
前記第２把持部が第１物品を把持するときに、前記被係合部が前記係合部に対して外側から覆うように係脱自在に係合可能であることを特徴とする物品取付具。
【請求項５】
前記第２把持部が第１物品を把持した状態で、前記第２把持部に締付けボルトを通して前記係合部と前記被係合部とを互いに締め付けて結合させる構成としたことを特徴とする請求項４記載の物品取付具。
【請求項６】
前記第２把持部は、ヒンジ部を介して互いに揺動自在に連結し、第１物品を把持するための第３把持部材及び第４把持部材を有することを特徴とする請求項４又は５記載の物品取付具。
【請求項７】
前記第２把持部は、第１物品としての刈払機のハンドルシャフトを把持してそのハンドルシャフトに取り付けられ、
前記第２取付部には、第２物品としての支持棒の端部を挿入して取り付けることができるように装着孔が形成され、
前記係合部が凸部又は凹部であり、前記被係合部が凹部又は凸部であることを特徴とする請求項４乃至６のいずれかに記載の物品取付具。
【請求項８】
第３物品を第２物品に取り付けるためのものであって、第２物品を把持してこの第２物品に取り付けられる第３取付部材と、第３物品を把持してこの第３物品に取り付けられる第４取付部材とを備え、当該第３取付部材と第４取付部材に締付けボルトを挿通して両者を締め付けることによって、前記第３及び第４取付部材によって第２及び第３物品をそれぞれ把持すると共に、前記第３及び第４取付部材を互いに結合することができる物品取付具において、
前記締め付けボルトと平行する所定の軸心を中心にして前記第４取付部材の前記第３取付部材に対する取付け角度を調整できる角度調整部を備えることを特徴とする物品取付具。
【請求項９】
前記角度調整部は、前記第３取付部材に形成された第１係合部と、この第１係合部と係脱自在に係合して、前記第４取付部材の前記第３取付部材に対する前記取付け角度を変更する方向の前記第４取付部材の移動を係止する第１被係合部とを有することを特徴とする請求項８記載の物品取付具。
【請求項１０】
前記第４取付部材は、ヒンジ部を介して互いに揺動自在に連結し、第３物品を把持するための第５把持部材及び第６把持部材を有し、
前記第５把持部材及び第６把持部材を開方向に付勢するための開位置保持ばねが設けられていることを特徴とする請求項９記載の物品取付具。
【請求項１１】
前記第３取付部材は、第２物品としての支持棒を把持してその支持棒に取り付けられ、
前記第４取付部材は、第３物品としての傘の柄を把持してその傘を取付け可能であることを特徴とする請求項８乃至１０のいずれかに記載の物品取付具。
【請求項１２】
請求項１乃至７のいずれかに記載の物品取付具と、請求項８乃至１１のいずれかに記載の物品取付具と、第２物品である支持棒とを備え、
第１物品が刈払機のハンドルシャフトであり、
第３物品が傘の柄であることを特徴とする刈払機用傘取付具。
【考案の詳細な説明】
【技術分野】
【０００１】
本考案は、傘等の物品を刈払機等の物品に簡単でしかもしっかりと取り付けることができる物品取付具及び刈払機用傘取付具に関する。
【背景技術】
【０００２】
従来の例えば傘を自転車のハンドルに取り付けるための傘取付装置の一例として図１３及び図１４に示すものがある。この傘取付装置１は、図１３に示すように、自転車２のハンドル３に取付けられる支柱支持手段４と、その支柱支持手段４に設けられた支持筒５に挿通して取り付けられる傘取付け用支柱６と、その傘取付け用支柱６の上端部に傘７の傾きを前後方向へ無段に調節でき、かつ、把持すべき傘７の柄７ａの大きさに対応できる傘把持手段８とを備えている。
【０００３】
支柱支持手段４をハンドル３に取り付けるときは、まず、図１４に示すように、２つ割りの支持部材９、１０の間にハンドル３を挟み込み、この一対の支持部材９、１０を２本のボルト１１、１１で締付け固定する。このようにして、支柱支持手段４をハンドル３に取り付けることができる。
【０００４】
次に、図１３に示すように、この支柱支持手段４に設けられている支持筒５内に傘取付け用支柱６の下端部を挿通し、ボルト１２を締め付けることによって、傘取付け用支柱６を支柱支持手段４に固定して取り付ける。
【０００５】
そして、図１３に示すように、傘取付け用支柱６の上端部に、傘把持手段８をボルト１３で締め付けて取り付ける。この傘把持手段８は、固定側把持板８ａと、可動側把持板８ｂとを有し、この固定側把持板８ａと、可動側把持板８ｂとの間に傘７の柄７ａを挟み込んだ状態にして、ボルト１４を締め付けることによって傘７を傘把持手段８に取り付けることができる。
【０００６】
この傘取付装置１によると、傘７を自転車２のハンドル３に固定して取り付けることができるので、雨中でも、傘７を手で持つことなく両手でハンドル３の操作をすることができ、自転車２を安全に運転できる。
【特許文献１】特開平１１−３４９５６号公報
【考案の開示】
【考案が解決しようとする課題】
【０００７】
しかし、図１３及び図１４に示す従来の傘取付装置１では、支柱支持手段４による傘取付け用支柱６の取付け強度が比較的小さいので、その強度を大きくすることが望まれている。そして、傘把持手段８の傘取付け用支柱６に対する取付け及び取外し、並びにこの傘把持手段８に対する傘７の取付け及び取外しのための手間と時間が比較的多く掛かる。
【０００８】
つまり、支柱支持手段４による傘取付け用支柱６の取付け強度が比較的小さいのは、図１４に示すように、支柱支持手段４がハンドル３に取り付けられた状態で、支持筒５は、固定側支持部材９を介してハンドル３と結合しているが、取付側支持部材１０を介しては、ハンドル３と結合していないから、支持筒５に掛かる力（傘７や傘取付け用支柱６に掛かる力）を固定側支持部材９だけで支持する構成となっているからである。
【０００９】
そして、傘把持手段８の傘取付け用支柱６に対する取付け及び取外し、並びにこの傘把持手段８に対する傘７の取付け及び取外しのための手間と時間が比較的多く掛かるのは、図１３に示すように、前者の傘把持手段８の傘取付け用支柱６に対する取付け及び取外しの際には、ボルト１３を操作する必要があり、また、傘把持手段８に対する傘７の取付け及び取外しの際には、別のボルト１４を操作する必要があり、これら２本のボルト１３、１４を別々に操作する必要があるからである。
【００１０】
本考案は、上記のような課題を解決するためになされたものであり、或る物品の他の物品に対する取付け強度の向上を図ると共に、取付け及び取外しを簡単に短時間で行うことができる物品取付具及び刈払機用傘取付具を提供することを目的としている。
【課題を解決するための手段】
【００１１】
第１の考案に係る物品取付具は、第２物品を第１物品に取り付けるためのものであって、第１物品に取り付けられる第１取付部材と、第２物品に取り付けられる第２取付部材とを備え、第１取付部材と第２取付部材とを、第１連結部及び第１被連結部を介して互いに連結することができる物品取付具において、前記第１取付部材は、第１物品を着脱自在に把持するための第１把持部と、前記第１把持部の両方の各端部に形成された一対の半割部とを備え、前記第１把持部が第１物品を把持するときに、前記一対の半割部が、互いに略合わさった状態となって前記第１連結部を形成し、前記第２取付部材は、前記第１連結部が着脱自在に内側に挿入されて連結される前記第１被連結部を有することを特徴とするものである。
【００１２】
第１の考案に係る物品取付具を使用して、第２物品を第１物品に取り付けるときは、例えばまず、第１取付部材の第１把持部で第１物品を把持させる。このとき、第１把持部に形成されている一対の半割部が、互いに略合わさった状態となって第１連結部が形成される。次に、この第１連結部を、第２取付部材の第１被連結部の内側に挿入して連結する。これによって、物品取付具を第１物品に取り付けることができる。そして、この第２取付部材に第２物品を取り付ける。このようにして、この物品取付具を使用して、第２物品を第１物品に取り付けることができる。
【００１３】
この物品取付具によると、第１連結部を形成する一対の半割部を、互いに略合わせた状態にして第１被連結部の内側に挿入して、この第１連結部を第１被連結部に連結する構成となっているので、第１被連結部に掛かる力をこの一対の半割部の両方で支持することができる。
【００１４】
第１の考案に係る物品取付具において、前記第１把持部は、ヒンジ部を介して互いに揺動自在に連結し、第１物品を把持するための第１把持部材及び第２把持部材を有し、前記第１連結部は、テーパ雄ねじ部であり、前記一対の各半割部には、半割テーパ雄ねじ部が形成され、前記第１被連結部には、前記第１連結部が螺合されるテーパ雌ねじ部が形成されているものとすることができる。
【００１５】
この第１把持部によると、例えばヒンジ部を中心にして第１把持部材及び第２把持部材を開いた状態にして、それぞれの端部の開いた隙間から刈払機のハンドルシャフト（第１物品）を装着したり取り外すことができ、これによって第１取付部材をハンドルシャフトに対して着脱することができる。従って、ハンドルシャフトの各端部に刈払刃や、この刈払刃を回転駆動するための駆動部が取り付けられていても、それらをハンドルシャフトから取り外さずに、第１取付部材をハンドルシャフトに対して手間と時間を掛けずに簡単に着脱することができる。
【００１６】
そして、第１連結部をテーパ雄ねじ部とし、第１被連結部をテーパ雌ねじ部としたので、第１被連結部を第１連結部に締め付けることによって、簡単に第１被連結部を第１連結部に不回動状態に連結することができるし、逆の操作をすることによって、簡単に第１被連結部を第１連結部から取り外すことができる。
【００１７】
第１の考案に係る物品取付具において、前記第１取付部材は、第１物品としての刈払機のハンドルシャフトを把持してそのハンドルシャフトに取り付けられ、前記第２取付部材は、短円筒状に形成され、一端部に前記第１被連結部が形成され、他端部には、第２物品としての支持棒の端部を挿入して取り付けることができるように装着孔が形成されているものとすることができる。
【００１８】
この第１取付部材は、第１物品としての刈払機のハンドルシャフトを把持してそのハンドルシャフトに着脱自在に取り付けることができる。第２取付部材は、短円筒状に形成され、この一端部に形成された第１被連結部に第１連結部を挿入して連結することができる。そして、第２取付部材の他端部に形成された装着孔に、第２物品としての支持棒の端部を挿入して取り付けることができる。
【００１９】
第２の考案に係る物品取付具は、第２物品を第１物品に取り付けるための物品取付具において、第１物品を着脱自在に把持するための第２把持部と、前記第２把持部の一方の端部側に設けられ第２物品を着脱自在に取り付けることができる第２取付部と、前記第２取付部の外面に設けられた係合部と、前記第２把持部の他方の端部側に設けられた被係合部とを備え、前記第２把持部が第１物品を把持するときに、前記被係合部が前記係合部に対して外側から覆うように係脱自在に係合可能であることを特徴とするものである。
【００２０】
第２の考案に係る物品取付具を使用して、第２物品を第１物品に取り付けるときは、例えばまず、第２把持部で第１物品を把持させる。このとき、第２把持部の他方の端部側に設けられた被係合部を、第２取付部の外面に設けられた係合部に係合させる。これによって、物品取付具を第１物品に取り付けることができる。次に、第２取付部に第２物品を取り付ける。このようにして、この物品取付具を使用して、第２物品を第１物品に取り付けることができる。
【００２１】
この物品取付具によると、第２把持部が第１物品を把持した状態で、第２把持部の他方の端部側に設けられた被係合部が、第２取付部の外面に設けられた係合部に対して外側から覆うように係合する構成となっているので、第２取付部に掛かる力を、この第２取付部が設けられている第２把持部の一方の端部（係合部が設けられている端部）と、この第２取付部の外面に係合する第２把持部の他方の端部（被係合部が設けられている端部）の両方で支持することができる。
【００２２】
第２の考案に係る物品取付具において、前記第２把持部が第１物品を把持した状態で、前記第２把持部に締付けボルトを通して前記係合部と前記被係合部とを互いに締め付けて結合させる構成としたものとすることができる。
【００２３】
このように、第２把持部が第１物品を把持した状態で、締付けボルトによって係合部と被係合部とを互いに締め付けて結合することができる。これによって、被係合部が係合部から外れることを防止でき、第１及び第２物品を物品取付具に確実に取り付けることができる
第２の考案に係る物品取付具において、前記第２把持部は、ヒンジ部を介して互いに揺動自在に連結し、第１物品を把持するための第３把持部材及び第４把持部材を有するものとすることができる。
【００２４】
この第２把持部によると、例えば第３把持部材及び第４把持部材を開いた状態にして、それぞれの端部の開いた隙間から刈払機のハンドルシャフト（第１物品）を装着したり取り外すことができ、これによって第２把持部をハンドルシャフトに対して着脱することができる。従って、ハンドルシャフトの各端部に刈払刃や、この刈払刃を回転駆動するための駆動部が取り付けられていても、それらをハンドルシャフトから取り外さずに、第２把持部をハンドルシャフトに対して手間と時間を掛けずに簡単に着脱することができる。
【００２５】
第２の考案に係る物品取付具において、前記第２把持部は、第１物品としての刈払機のハンドルシャフトを把持してそのハンドルシャフトに取り付けられ、前記第２取付部には、第２物品としての支持棒の端部を挿入して取り付けることができるように装着孔が形成され、前記係合部が凸部又は凹部であり、前記被係合部が凹部又は凸部であるものとすることができる。
【００２６】
この第２把持部は、第１物品としての刈払機のハンドルシャフトを把持してそのハンドルシャフトに着脱自在に取り付けることができる。そして、第２取付部に形成された装着孔に、第２物品としての支持棒の端部を挿入して取り付けることができる。また、被係合部である凹部又は凸部を、係合部である凸部又は凹部を外側から覆うように配置して係合させることができる。これによって、第２取付部に掛かる力を、この第２取付部が設けられている第２把持部の一方の端部と、この第２取付部の外面に係合する第２把持部の他方の端部の両方で確実に支持することができる。
【００２７】
第３の考案に係る物品取付具は、第３物品を第２物品に取り付けるためのものであって、第２物品を把持してこの第２物品に取り付けられる第３取付部材と、第３物品を把持してこの第３物品に取り付けられる第４取付部材とを備え、当該第３取付部材と第４取付部材に締付けボルトを挿通して両者を締め付けることによって、前記第３及び第４取付部材によって第２及び第３物品をそれぞれ把持すると共に、前記第３及び第４取付部材を互いに結合することができる物品取付具において、前記締め付けボルトと平行する所定の軸心を中心にして前記第４取付部材の前記第３取付部材に対する取付け角度を調整できる角度調整部を備えることを特徴とするものである。
【００２８】
第３の考案に係る物品取付具を使用して、第３物品を第２物品に取り付けるときは、例えばまず、第３取付部材が第２物品を把持するように第３取付部材を第２物品にあてがう。そして、第４取付部材が第３物品を把持するように第３物品を第４取付部材にあてがう。そして、第３及び第４取付部材に締付けボルトを挿通して両者を締め付けることによって、第３及び第４取付部材によって第２及び第３物品をそれぞれ把持させることができると共に、第３及び第４取付部材を互いに結合することができる。
【００２９】
そして、第４取付部材の第３取付部材に対する取付け角度を調整するときは、まず、締付けボルトを緩めて第４取付部材の第３取付部材に対する取付け角度を変更する方向にその第４取付部材を揺動させる。次に、締付けボルトを締め付けることによって、角度調整された第４取付部材を第３取付部材に固定することができる。
【００３０】
この物品取付具によると、締付けボルトを締め付ける操作をするだけで、第３及び第４取付部材によって第２及び第３物品をそれぞれ把持させることができると共に、第４取付部材の第３取付部材に対する取付け角度を調整した状態で、第４取付部材を第３取付部材に固定することができる。
【００３１】
第３の考案に係る物品取付具において、前記角度調整部は、前記第３取付部材に形成された第１係合部と、この第１係合部と係脱自在に係合して、前記第４取付部材の前記第３取付部材に対する前記取付け角度を変更する方向の前記第４取付部材の移動を係止する第１被係合部とを有するものとすることができる。
【００３２】
この角度調整部によると、第１係合部と第１被係合部との係合、及び係合位置の変更によって、第４取付部材の第３取付部材に対する取付け角度の位置決め、及び取付け角度の変更を簡単に行うことができる。
【００３３】
第３の考案に係る物品取付具において、前記第４取付部材は、ヒンジ部を介して互いに揺動自在に連結し、第３物品を把持するための第５把持部材及び第６把持部材を有し、前記第５把持部材及び第６把持部材を開方向に付勢するための開位置保持ばねが設けられているものとすることができる。
【００３４】
この第４取付部材によると、例えばヒンジ部を中心にして第５把持部材及び第６把持部材を開いた状態にして、それぞれの端部の開いた隙間から傘の柄（第３物品）を装着したり取り外すことができ、これによって、傘の柄を第４取付部材に対して着脱することができる。従って、傘の柄の各端部には、把手や傘本体が取り付けられているが、それらが邪魔にならずに、傘の柄を第４取付部材に対して簡単に着脱することができる。
【００３５】
そして、開位置保持ばねは、例えばこの物品取付具に対して第２物品及び第３物品が取り付けられていない状態で、締付けボルトによって第３及び第４取付部材を挟み込んで保持しているときに、第３取付部材、及び第４取付部材の第５及び第６把持部材をそれぞれ開状態で保持することができる。
【００３６】
このように、第３及び第４取付部材がばらばらにならないように保持することができると共に、第３取付部材、並びに第５及び第６把持部材をそれぞれ開状態で保持することができると、この状態で、第３取付部材に第２物品を簡単にあてがうことができると共に、第５及び第６把持部材の内側に第３物品を簡単に配置することができる。そして、この状態で締付けボルトを締め付けることによって、物品取付具に対して第２物品及び第３物品を簡単に取り付けることができる。また、締付けボルトを緩めることによって、物品取付具から第２物品及び第３物品を簡単に取り外すことができる。
【００３７】
第３の考案に係る物品取付具において、前記第３取付部材は、第２物品としての支持棒を把持してその支持棒に取り付けられ、前記第４取付部材は、第３物品としての傘の柄を把持してその傘を取付け可能であるものとすることができる。
【００３８】
この第３取付部材は、第２物品としての支持棒を把持してその支持棒に対して着脱自在に取り付けることができる。第４取付部材は、第３物品としての傘の柄を把持することができ、その傘を第４取付部材に対して着脱自在に取り付けることができる。
【００３９】
第４の考案に係る刈払機用傘取付具は、第１又は第２の考案の物品取付具と、第３の考案の物品取付具と、第２物品である支持棒とを備え、第１物品が刈払機のハンドルシャフトであり、第３物品が傘の柄であることを特徴とするものである。
【００４０】
第４の考案に係る刈払機用傘取付具によると、第１又は第２の考案に係る物品取付具を使用して、第２物品である支持棒を第１物品である刈払機のハンドルシャフトに着脱自在に取り付けることができる。そして、第３の考案に係る物品取付具を使用して、第３物品である傘の柄を第２物品である支持棒に着脱自在に取り付けることができる。
【考案の効果】
【００４１】
第１の考案に係る物品取付具によると、第１把持部が第１物品を把持するときに、第１連結部を形成する一対の半割部を、互いに略合わせた状態にして第１被連結部の内側に挿入して、この第１連結部を第１被連結部に連結する構成となっているので、第１被連結部に掛かる力をこの一対の半割部の両方で支持することができる。これによって、第２物品を物品取付具に簡単に取り付けることができ、よって、この物品取付具を使用して第２物品を第１物品に簡単にしっかりと取り付けることができる。
【００４２】
第２の考案に係る物品取付具によると、第２把持部が第１物品を把持した状態で、第２把持部の被係合部が、第２取付部の外面に設けられた係合部に対して外側から覆うように係合する構成となっているので、第２取付部に掛かる力を、この第２取付部が設けられている第２把持部の係合部側の端部と、この第２取付部の外面に係合する第２把持部の被係合部側の端部の両方で支持することができる。これによって、第２物品を物品取付具に強固に取り付けることができ、よって、この物品取付具を使用して第２物品を第１物品に簡単でしっかりと取り付けることができる。
【００４３】
第３の考案に係る物品取付具によると、締付けボルトを締め付けることの１つの操作によって、第３及び第４取付部材によって第２及び第３物品をそれぞれ把持させることができると共に、第４取付部材の第３取付部材に対する取付け角度を調整した状態で、第４取付部材を第３取付部材に固定することができる。よって、第３物品の第２物品に対する着脱及び角度調整を、極めて簡単に行うことができる。
【００４４】
第４の考案に係る刈払機用傘取付具によると、傘を刈払機のハンドルシャフトに簡単に短時間で取り付けることができるし、炎天下や雨中でも、傘を差した状態で刈払機を操作をすることができる。よって、比較的良好な作業環境で刈払作業を行うことができる。そして、傘が不要なときは、傘をハンドルシャフトから簡単に短時間で取り外すことができるので、刈払作業のための時間を有効に使用することができる。
【考案を実施するための最良の形態】
【００４５】
以下、本考案に係る刈払機用傘取付具を説明する。本願の請求項１〜３に係る考案は、図２（ｂ）に示す第１物品取付具１８と対応する。そして、この第１物品取付具１８は、ハンドルシャフト１７に支持棒２０を取り付けるためのものであり、第１取付部材２１と、第２取付部材２２とを備えている。
【００４６】
そして、本願の請求項４〜７に係る考案は、図９（ｂ）に示す第３物品取付具５６と対応する。この第３物品取付具５６は、ハンドルシャフト１７に支持棒２０を取り付けるためのものであり、第２把持部５７と、第２取付部５８とを備えている。
【００４７】
また、本願の請求項８〜１１に係る考案は、図２（ａ）、（ｂ）に示す第２物品取付具１９と対応する。この第２物品取付具１９は、支持棒２０に傘７を取り付けるためのものであり、第３取付部材３７と、第４取付部材３８と、角度調整部３９とを備えている。
【００４８】
更に、本願の請求項１２に係る考案は、図２（ａ）、（ｂ）、及び図９（ａ）、（ｂ）に示す刈払機用傘取付具１５、５５と対応する。
【００４９】
次に、本考案に係る刈払機用傘取付具の第１実施形態を、図１〜図８を参照して説明する。図１は、この刈払機用傘取付具１５を使用して、傘（第３物品）７を刈払機（第１物品）１６のハンドルシャフト１７の基端部に取り付けている状態を示す斜視図である。このように、傘７が取り付けられた刈払機１６を使用すると、例えば炎天下や雨中でも、傘７を差した状態で刈払作業を行うことができる。よって、比較的良好な作業環境で刈払作業を行うことができる。
【００５０】
図２（ａ）は、刈払機用傘取付具１５の平面図、図２（ｂ）は、刈払機用傘取付具１５の正面図であり、図３は、刈払機用傘取付具１５の側面図である。この刈払機用傘取付具１５は、この図２（ａ）、（ｂ）に示すように、第１物品取付具１８と第２物品取付具１９と支持棒（第２物品）２０とを備えている。この第１物品取付具１８は、第１物品としての刈払機１６のハンドルシャフト１７に、第２物品としての支持棒２０を着脱自在に取り付けるためのものである。そして、第２物品取付具１９は、第２物品としての支持棒２０に、第３物品としての傘７を着脱自在に取り付けるためのものである。
【００５１】
第１物品取付具１８は、図２（ｂ）に示すように、第１取付部材２１と、この第１取付部材２１に対して着脱自在に螺合結合される第２取付部材２２とを備えている。
【００５２】
第１取付部材２１は、図４及び図５に示すように、刈払機１６のハンドルシャフト１７を着脱自在に把持するための第１把持部２３を備えている。この第１把持部２３は、ハンドルシャフト１７を把持するための第１把持部材２３ａ及び第２把持部材２３ｂを有し、この第１及び第２把持部材２３ａ、２３ｂは、ヒンジ部２４を介して互いに揺動自在に連結している。これら第１及び第２把持部材２３ａ、２３ｂの各基端部には、ハンドルシャフト１７を把持するための半割の半短円筒部２５が形成されている。
【００５３】
そして、図４（ａ）、（ｂ）に示すように、第１及び第２把持部材２３ａ、２３ｂの各先端部には、一対の半割部２６、２６が形成され、この第１及び第２把持部材２３ａ、２３ｂがハンドルシャフト１７を把持するときに、この一対の半割部２６、２６が、互いに略合わさった状態となって第１連結部２７を形成するようになっている。この第１連結部２７は、テーパ雄ねじ部であり、一対の各半割部２６、２６には、半割テーパ雄ねじ部が形成されている。
【００５４】
第２取付部材２２は、図２（ｂ）、図６（ａ）、（ｂ）に示すように、短円筒状に形成され、下部に第１被連結部２８が形成され、上部には、第２物品としての支持棒２０の下端部を挿入して取り付けることができるように装着孔２９が形成されている。
【００５５】
この第２取付部材２２の下部に形成されている第１被連結部２８は、第１連結部２７が着脱自在に螺合されるテーパ雌ねじ部である。
【００５６】
そして、図２（ｂ）、図６（ａ）、（ｂ）に示すように、第２取付部材２２の上部に形成されている装着孔２９は、支持棒２０の下端部が着脱自在に装着されるように形成されている。そして、支持棒２０の下端部が装着孔２９に装着されてストッパ部３０と当接した状態で、支持棒２０が装着孔２９から抜け出ないようにするためのセットボルト３１が、この第２取付部材２２の上部周壁部に螺合し、その先端が支持棒２０の外面に当接している。また、支持棒２０は短円筒形又は短円柱形である。そして、装着孔２９は、支持棒２０が装着可能であって、がたつきのないような形状及び寸法に形成されている。
【００５７】
次に、上記のように構成された第１物品取付具１８を使用して、図２（ｂ）に示すように、第２物品である支持棒２０を、第１物品である刈払機１６のハンドルシャフト１７に取り付ける手順を説明する。例えばまず、図４（ｂ）に示すように、第１把持部材２３ａ及び第２把持部材２３ｂを開いた状態にして、それぞれの端部の開いた隙間からハンドルシャフト１７を一対の半短円筒部２５の間に配置する。
【００５８】
次に、図４（ａ）に示すように、第１及び第２把持部材２３ａ、２３ｂを閉じて、それぞれの先端部に形成されている一対の半割部２６、２６を、互いに略合わさった状態にして第１連結部２７（テーパ雄ねじ部）を形成する。
【００５９】
そして、図２（ｂ）に示すように、この第１連結部２７を、第２取付部材２２の第１被連結部（テーパ雌ねじ部）２８の内側に挿入して螺合結合する。これによって、第１及び第２把持部材２３ａ、２３ｂがハンドルシャフト１７を強固に把持した状態となり、第１物品取付具１８をハンドルシャフト１７に取り付けることができる。なお、図４（ａ）、（ｂ）に示す３２は、スリーブである。
【００６０】
そして、図２（ｂ）に示すように、支持棒２０の下端部を第２取付部材２２の装着孔２９に装着してセットボルト３１で固定する。このようにして、この第１物品取付具１８を使用して、第２物品の支持棒２０を第１物品のハンドルシャフト１７に固定して取り付けることができる。
【００６１】
この第１物品取付具１８によると、図３に示すように、第１連結部（テーパ雄ねじ部）２７を形成する一対の半割部２６、２６を、互いに略合わせた状態にして第１被連結部（テーパ雌ねじ部）２８の内側に螺合して、この第１連結部２７を第１被連結部２８に結合する構成となっているので、第１被連結部２８に掛かる力をこの一対の半割部２６、２６の両方で支持することができる。よって、この第１物品取付具１８を使用して第２物品の支持棒２０を第１物品のハンドルシャフト１７に簡単にしっかりと取り付けることができる。
【００６２】
そして、図２（ｂ）に示すように、第１連結部２７をテーパ雄ねじ部とし、第１被連結部２８をテーパ雌ねじ部としたので、第１被連結部２８を第１連結部２７に締め付けることによって、簡単に第１被連結部２８を第１連結部２７に不回動状態に連結することができるし、逆の操作をすることによって、簡単に第１被連結部２８を第１連結部２７から取り外すことができる。
【００６３】
更に、図４（ｂ）に示すように、この第１把持部２３によると、ヒンジ部２４を中心にして第１及び第２把持部材２３ａ、２３ｂを開いた状態にして、それぞれの先端部の開いた隙間から刈払機１６のハンドルシャフト（第１物品）１７を装着したり取り外すことができ、これによって第１取付部材２１をハンドルシャフト１７に対して簡単に着脱することができる。従って、図１に示すように、ハンドルシャフト１７の各端部に刈払刃３３や、この刈払刃３３を回転駆動するための駆動部３４が取り付けられていても、それらをハンドルシャフト１７から取り外さずに、第１取付部材２１をハンドルシャフト１７に対して手間と時間を掛けずに簡単に着脱することができる。
【００６４】
次に、第２物品取付具１９を説明する。この第２物品取付具１９は、図２（ａ）、（ｂ）に示すように、第２物品としての支持棒２０に、第３物品としての傘７を着脱自在に取り付けるためのものであり、第３取付部材３７、第４取付部材３８、及び第４取付部材３８の第３取付部材３７に対する取付け角度を調整するための角度調整部３９を備えている。
【００６５】
第３取付部材３７は、図７（ａ）、（ｂ）、（ｃ）に示すように、平面形状が略Ｕ字形状に形成され、屈曲部が第３把持部４０として形成されている。この第３把持部４０は、支持棒２０を着脱自在に把持することができるものであり、この第３把持部４０の両端部に第１板状部４１及び第２板状部４２が形成されている。この第１及び第２板状部４１、４２は、互いに隙間（締め代）を隔てて平行している。
【００６６】
第４取付部材３８は、図７（ａ）、（ｂ）、（ｃ）に示すように、ヒンジ部４３を介して互いに揺動自在に連結する第５把持部材４４及び第６把持部材４５を有している。この第５及び第６把持部材４４、４５は、第３物品である傘７の柄７ａを把持するためのものである。
【００６７】
そして、図７（ａ）に示す４６は、締付けボルトである。この締付けボルト４６は、第３取付部材３７と第４取付部材３８とに挿通して両者を締め付けることによって、これら第３及び第４取付部材３７、３８によって第２及び第３物品である支持棒２０及び傘７の柄７ａをそれぞれ把持すると共に、第３及び第４取付部材３７、３８を互いに結合することができるものである。
【００６８】
つまり、締付けボルト４６は、第３取付部材３７の第１及び第２板状部４１、４２、並びに、第４取付部材３８の第５及び第６把持部材４４、４５のそれぞれの基端部に形成されている挿通孔４７に挿通しており、ナット部４８に螺合している。なお、図７（ａ）に示す４９は、押さえ筒部である。
【００６９】
また、図７（ａ）に示す５０は、開位置保持ばねである。この開位置保持ばね５０は、例えばこの第２物品取付具１９に対して支持棒２０及び傘７の柄７ａが取り付けられていない状態で、締付けボルト４６及びナット部４８によって第３及び第４取付部材３７、３８を挟み込んで保持しているときに、第３取付部材３７の第３把持部４０、及び第４取付部材３８の第５及び第６把持部材４４、４５をそれぞれ開状態で保持することができるものである。
【００７０】
このように、第３及び第４取付部材３７、３８がばらばらにならないように保持することができると共に、第３把持部４０、及び第５及び第６把持部材４４、４５をそれぞれ開状態で保持することができると、この状態で、第３把持部４０に支持棒２０を簡単に挿通することができると共に、第５及び第６把持部材４４、４５の内側に傘７の柄７ａを簡単に配置することができる。そして、この状態で締付けボルト４６を締め付けることによって、第２物品取付具１９に対して支持棒２０及び傘７の柄７ａを簡単に取り付けることができる。また、締付けボルト４６を緩めることによって、第２物品取付具１９から支持棒２０及び傘７の柄７ａを簡単に取り外すことができる。
【００７１】
角度調整部３９は、図７及び図８に示すように、締付けボルト４６を中心にして、第４取付部材３８の第３取付部材３７に対する取付け角度、つまり、傘７の取付け角度を調整できるものである。
【００７２】
この角度調整部３９は、図７（ａ）、（ｂ）、（ｃ）に示すように、第１係合部５１と、この第１係合部５１に噛み合って係合する第１被係合部５２とを有している。第１係合部５１は、第３取付部材３７の第２板状部４２の外側面に設けられ（図７（ｂ）参照）、第１被係合部５２は、第４取付部材３８の第５把持部材４４の外側面に設けられている（図７（ｃ）参照）。この第１被係合部５２は、第１係合部５１と係脱自在に係合して、第４取付部材３８の第３取付部材３７に対する取付け角度を変更する方向の第４取付部材３８の移動を係止するように形成されている。具体的には、第１被係合部５２及び第１被係合部５２は、図７（ａ）、（ｂ）、（ｃ）に示すように、多数の凹部及び凸部を交互に配置すると共に、円環状に形成したものである。そして、それぞれの中心に締付けボルト４６の挿通孔４７が形成されている。
【００７３】
次に、上記のように構成された第２物品取付具１９を使用して、図２（ａ）、（ｂ）に示すように、第３物品である傘７（傘７の柄７ａ）を、第２物品である支持棒２０に取り付ける手順を説明する。例えばまず、図７（ａ）に示すように、第３取付部材３７の第３把持部４０内に支持棒２０を挿通して配置する。そして、第４取付部材３８の第５及び第６把持部材４４、４５の内側に傘７の柄７ａをあてがって配置する。そして、ナット部４８を手で回転させて、このナット部４８と締付けボルト４６とによって第３及び第４取付部材３７、３８を締め付ける。このようにして、第３及び第４取付部材３７、３８によって支持棒２０及び傘７の柄７ａをそれぞれ把持させることができると共に、第３及び第４取付部材３７、３８を互いに結合することができる。
【００７４】
そして、図８に示すように、第４取付部材３８の第３取付部材３７に対する取付け角度を調整するときは、まず、図７（ａ）に示すナット部４８（締付けボルト４６）を緩めて第４取付部材３８の第３取付部材３７に対する取付け角度を変更する方向にその第４取付部材３８を揺動させる。次に、ナット部４８を締め付けることによって、角度調整された第４取付部材３８を第３取付部材３７に固定することができる。
【００７５】
この第２物品取付具１９によると、図７（ａ）に示すように、ナット部４８（締付けボルト４６）を締め付けることの１つの操作をするだけで、第３及び第４取付部材３７、３８によって、支持棒２０及び傘７の柄７ａ（傘７）をそれぞれ把持させることができると共に、第４取付部材３８（傘７）の第３取付部材３７（支持棒２０）に対する取付け角度を調整した状態で、第４取付部材３８（傘７）を第３取付部材３７（支持棒２０）に固定することができる。よって、傘７の支持棒２０に対する着脱及び角度調整を、極めて簡単に行うことができる。
【００７６】
そして、この角度調整部３９によると、図７（ａ）、（ｂ）、（ｃ）に示すように、第１係合部５１と第１被係合部５２との係合、及び係合位置の変更によって、第４取付部材３８（傘７）の第３取付部材３７（支持棒２０）に対する取付け角度の位置決め、及び取付け角度の変更を簡単に行うことができる。
【００７７】
また、第４取付部材３８によると、図７（ａ）に示すように、例えばヒンジ部４３を中心にして第５把持部材４４及び第６把持部材４５を開いた状態にして、それぞれの端部の開いた隙間から傘７の柄７ａ（第３物品）を装着したり取り外すことができ、これによって、傘７の柄７ａを第４取付部材３８に対して着脱することができる。従って、傘７の柄７ａの各端部には、把手や傘本体が取り付けられているが、それらが邪魔にならずに、傘７の柄７ａを第４取付部材３８に対して簡単に着脱することができる。
【００７８】
上記のように、この図１に示す刈払機用傘取付具１５によると、傘７を刈払機１６のハンドルシャフト１７に簡単に短時間で取り付けることができるし、炎天下や雨中でも、傘７を差した状態で刈払機１６を操作をすることができる。よって、比較的良好な作業環境で刈払作業を行うことができる。そして、傘７が不要なときは、傘７をハンドルシャフト１７から簡単に短時間で取り外すことができるので、刈払作業のための時間を有効に使用することができる。
【００７９】
次に、図９〜図１２を参照して、本考案に係る刈払機用傘取付具の第２実施形態を説明する。この図１０に示す第２実施形態の刈払機用傘取付具５５は、図３に示す第１実施形態の刈払機用傘取付具１５において、第１物品取付具１８に代えて、第３物品取付具５６を設けた構成としたものであり、これ以外の第２物品取付具１９等は、第１実施形態と同等であり、同等部分を同一の図面符号で示し、それらの説明を省略する。
【００８０】
図９（ａ）は、第２実施形態の刈払機用傘取付具５５の平面図、図９（ｂ）は、刈払機用傘取付具５５の正面図であり、図１０は、刈払機用傘取付具５５の側面図である。この刈払機用傘取付具５５は、この図９（ａ）、（ｂ）に示すように、第３物品取付具５６と第２物品取付具１９と支持棒２０とを備えている。この第３物品取付具５６は、第１実施形態の第１物品取付具１８と同様に、第１物品としての刈払機１６のハンドルシャフト１７に、第２物品としての支持棒２０を着脱自在に取り付けるためのものである。そして、第２物品取付具１９は、第１実施形態のものと同等のものであり、第２物品としての支持棒２０に、第３物品としての傘７の柄７ａ（傘７）を着脱自在に取り付けるためのものである。
【００８１】
第３物品取付具５６は、図１０に示すように、第２把持部５７と、この第２把持部５７の一方の端部側に設けられている第２取付部５８とを備えている。
【００８２】
第２把持部５７は、図１１及び図１２に示すように、刈払機１６のハンドルシャフト１７を着脱自在に把持するためのものである。この第２把持部５７は、ハンドルシャフト１７を把持するための第３把持部材５７ａ及び第４把持部材５７ｂを有し、この第３及び第４把持部材５７ａ、５７ｂは、ヒンジ部２４を介して互いに揺動自在に連結している。これら第３及び第４把持部材５７ａ、５７ｂの各基端部には、ハンドルシャフト１７を把持するための半割の半短円筒部２５が形成されている。
【００８３】
そして、図１１（ａ）、（ｂ）に示すように、第３把持部材５７ａの先端部には、第２取付部５８が設けられている。
【００８４】
第２取付部５８は、図１１及び図１２に示すように、上部が開口し底部を有する短円筒状に形成され、この上部開口部から第２物品としての支持棒２０の下端部を挿入して取り付けることができるように装着孔２９が形成されている。この第２取付部５８の装着孔２９は、図６（ｂ）に示す第１実施形態の第２取付部材２２の装着孔２９と同等のものである。
【００８５】
そして、図１１（ａ）、（ｂ）に示すように、短円筒状に形成された第２取付部５８の下端部であって、第４把持部材５７ｂ側の側面には、略半円に亘って係合部５９が形成されている。この係合部５９は、例えば凹溝５９ａと、その下部に形成された凸条５９ｂとを有している。
【００８６】
また、図１１（ａ）、（ｂ）に示すように、第４把持部材５７ｂの先端部であって第３把持部材５７ａ側に向かう内側面には、略半円筒形状の被係合部６０が形成されている。この被係合部６０は、例えば凸条６０ａと、その下部に形成された凹溝６０ｂを有している。この係合部５９及び被係合部６０は、第３及び第４把持部材５７ａ、５７ｂがハンドルシャフト１７を把持するときに、被係合部６０が係合部５９に対して外側から覆うように互いに係脱自在に係合可能である。
【００８７】
更に、図１０に示す６１は、締付けボルトである。この締付けボルト６１は、第３把持部材５７ａと第４把持部材５７ｂとに挿通して両者を締め付けることによって、これら第３及び第４把持部材５７ａ、５７ｂによって第１物品であるハンドルシャフト１７を把持すると共に、係合部５９と被係合部６０とを互いに締め付けて結合させるものである。
【００８８】
つまり、締付けボルト６１は、第３及び第４把持部材５７ａ、５７ｂに形成されている挿通孔６２に挿通しており、ナット部６３に螺合している。なお、図１０に示す６４は、押さえ筒部である。
【００８９】
次に、上記のように構成された第３物品取付具５６を使用して、図９（ｂ）に示すように、第２物品である支持棒２０を、第１物品である刈払機１６のハンドルシャフト１７に取り付ける手順を説明する。例えばまず、図１１（ｂ）に示すように、第３及び第４把持部材５７ａ、５７ｂを開いた状態にして、それぞれの端部の開いた隙間からハンドルシャフト１７を一対の半短円筒部２５、２５の間に配置する。
【００９０】
次に、図１１（ａ）に示すように、第３及び第４把持部材５７ａ、５７ｂを閉じて、被係合部６０が係合部５９に対して外側から覆うようにして係合させる。そして、締付けボルト６１を締め付けて、係合部５９と被係合部６０とを互いに合わさった状態にして結合する。これによって、第３及び第４把持部材５７ａ、５７ｂがハンドルシャフト１７を強固に把持した状態となり、第３物品取付具５６をハンドルシャフト１７に取り付けることができる。なお、図１１（ａ）、（ｂ）に示す３２は、スリーブである。
【００９１】
そして、図１０に示すように、支持棒２０の下端部を第２取付部５８の装着孔２９に装着してセットボルト３１で固定する。このようにして、この第３物品取付具５６を使用して、第２物品の支持棒２０を第１物品のハンドルシャフト１７に固定して取り付けることができる。
【００９２】
この第３物品取付具５６によると、図１０に示すように、第３及び第４把持部材５７ａ、５７ｂがハンドルシャフト１７（第１物品）を把持した状態で、第４把持部材５７ｂの先端部に設けられた被係合部６０が、第２取付部５８の外面に設けられた係合部５９に対して外側から覆うように係合する構成となっているので、第２取付部５８に掛かる力を、この第２取付部５８が設けられている係合部５９側の第３把持部材５７ａと、この第２取付部５８の外面に係合する被係合部６０側の第４把持部材５７ｂとの両方で支持することができる。よって、この第３物品取付具５６を使用して支持棒２０（第２物品）をハンドルシャフト１７（第１物品）に簡単でしっかりと取り付けることができる。
【００９３】
そして、図１０に示すように、第３及び第４把持部材５７ａ、５７ｂがハンドルシャフト１７（第１物品）を把持した状態で、締付けボルト６１によって係合部５９と被係合部６０とを互いに締め付けて結合することができる。これによって、被係合部６０が係合部５９から外れることを防止でき、ハンドルシャフト１７（第１物品）及び支持棒２０（第２物品）を第３物品取付具５６に確実に取り付けることができる
また、第２把持部５７によると、図１１（ａ）、（ｂ）に示すように、例えば第３把持部材５７ａ及び第４把持部材５７ｂを開いた状態にして、それぞれの端部の開いた隙間から刈払機１６のハンドルシャフト１７（第１物品）を装着したり取り外すことができ、これによって第２把持部５７をハンドルシャフト１７に対して着脱することができる。従って、ハンドルシャフト１７の各端部に刈払刃３３や、この刈払刃３３を回転駆動するための駆動部３４が取り付けられていても、それらをハンドルシャフト１７から取り外さずに、第２把持部５７をハンドルシャフト１７に対して手間と時間を掛けずに簡単に着脱することができる。
【００９４】
ただし、上記第１実施形態の第１物品取付具１８は、図３に示すように、第１把持部材２３ａと第２把持部材２３ｂとを、連結軸を有するヒンジ部２４を介して互いに連結したが、これに代えて、第１及び第２把持部材２３ａ、２３ｂを一体に形成して、この一体に形成した第１及び第２把持部材２３ａ、２３ｂの弾性変形によってそれぞれの端部が開くようにして、その端部どうしの隙間からハンドルシャフト１７を着脱できるようにしてもよい。
【００９５】
そして、上記第１実施形態の第２物品取付具１９の第３取付部材３７に形成されている第３把持部４０は、図２（ａ）に示すように、Ｕ字形状の屈曲部として一体に形成し、それ自体の弾性変形によって拡縮するようにしたが、これに代えて、第３把持部４０を２つの部材で形成し、この２つの部材をヒンジ部を介して互いに連結して拡縮する構成としてもよい。
【００９６】
また、上記第１実施形態の第２物品取付具１９の第４取付部材３８は、図２（ａ）に示すように、第５把持部材４４と第６把持部材４５とを、ヒンジ部４３を介して互いに連結したが、これに代えて、第５及び第６把持部材４４、４５を一体に形成して、この一体に形成した第５及び第６把持部材４４、４５の弾性変形によってそれぞれの端部が開くようにして、その端部どうしの隙間から支持棒２０を着脱できるようにしてもよい。
【００９７】
更に、上記第２実施形態の第３物品取付具５６は、図１０に示すように、第３把持部材５７ａと第４把持部材５７ｂとを、連結軸を有するヒンジ部２４を介して互いに連結したが、これに代えて、第３及び第４把持部材５７ａ、５７ｂを一体に形成して、この一体に形成した第３及び第４把持部材５７ａ、５７ｂの弾性変形によってそれぞれの端部が開くようにして、その端部どうしの隙間からハンドルシャフト１７を着脱できるようにしてもよい。
【００９８】
そして、上記各実施形態では、図１に示すように、刈払刃３３としてチップソー等の金属製の円板状体を使用したが、これに代えて、合成樹脂製の可撓線状刃を使用してもよい。
【００９９】
また、上記各実施形態において、刈払刃３３を回転駆動する駆動部３４は、エンジンを使用してもよいし、電気モータを使用してもよい。
【産業上の利用可能性】
【０１００】
以上のように、本考案に係る物品取付具及び刈払機用傘取付具は、或る物品の他の物品に対する取付け強度の向上を図ると共に、取付け及び取外しを簡単に短時間で行うことができる優れた効果を有し、このような物品取付具及び刈払機用傘取付具に適用するのに適している。
【図面の簡単な説明】
【０１０１】
【図１】この考案の第１実施形態に係る刈払機用傘取付具を使用して刈払機に傘を取り付けている状態を示す斜視図である。
【図２】同第１実施形態に係る刈払機用傘取付具を示す図であり、（ａ）は平面図、（ｂ）は正面図である。
【図３】同第１実施形態に係る刈払機用傘取付具を示す側面図である。
【図４】同第１実施形態に係る第１物品取付具が備える第１取付部材を示す図であり、（ａ）は閉状態を示す側面図、（ｂ）は開状態を示す側面図である。
【図５】同第１実施形態に係る第１物品取付具が備える第１取付部材を示す図であり、（ａ）は閉状態を示す平面図、（ｂ）は閉状態を示す正面図、（ｃ）は閉状態を示す底面図である。
【図６】同第１実施形態に係る第１物品取付具が備える第２取付部材を示す図であり、（ａ）は平面図、（ｂ）は部分断面正面図である。
【図７】（ａ）は同第１実施形態に係る第２物品取付具を示す平面図、（ｂ）は、その第２物品取付具を構成する第３取付部材に設けられている第１係合部を示す正面図、（ｃ）は、その第２物品取付具を構成する第４取付部材に設けられている第１被係合部を示す正面図である。
【図８】同第１実施形態に係る刈払機用傘取付具を使用して刈払機に取り付けられている傘の角度を変更した状態を示す正面図である。
【図９】同考案の第２実施形態に係る刈払機用傘取付具を示す図であり、（ａ）は平面図、（ｂ）は正面図である。
【図１０】同第２実施形態に係る刈払機用傘取付具を示す側面図である。
【図１１】同第２実施形態に係る第３物品取付具を示す図であり、（ａ）は第２把持部の閉状態を示す側面図、（ｂ）は第２把持部の開状態を示す側面図である。
【図１２】同第２実施形態に係る第３物品取付具を示す図であり、（ａ）は第２把持部の閉状態を示す平面図、（ｂ）は第２把持部の閉状態を示す正面図、（ｃ）は第２把持部の閉状態を示す底面図である。
【図１３】従来の傘取付装置の一例を示す斜視図である。
【図１４】同従来の傘取付装置の支柱支持手段を示す拡大横断面図である。
【符号の説明】
【０１０２】
７  傘（第３物品）
７ａ  傘の柄
１５、５５  刈払機用傘取付具
１６  刈払機（第１物品）
１７  ハンドルシャフト
１８  第１物品取付具
１９  第２物品取付具
２０  支持棒（第２物品）
２１  第１取付部材
２２  第２取付部材
２３  第１把持部
２３ａ  第１把持部材
２３ｂ  第２把持部材
２４、４３  ヒンジ部
２５  半短円筒部
２６  半割部
２７  第１連結部
２８  第１被連結部
２９  装着孔
３０  ストッパ部
３１  セットボルト
３２  スリーブ
３３  刈払刃
３４  駆動部
３７  第３取付部材
３８  第４取付部材
３９  角度調整部
４０  第３把持部
４１  第１板状部
４２  第２板状部
４４  第５把持部材
４５  第６把持部材
４６、６１  締付けボルト
４７、６２  挿通孔
４８、６３  ナット部
４９、６４  押さえ筒部
５０  開位置保持ばね
５１  第１係合部
５２  第１被係合部
５６  第３物品取付具
５７  第２把持部
５７ａ  第３把持部材
５７ｂ  第４把持部材
５８  第２取付部
５９  係合部
５９ａ、６０ｂ  凹溝
５９ｂ、６０ａ  凸条
６０  被係合部
【図１】
0003146010.tif 000003
【図２】
0003146010.tif 000004
【図３】
0003146010.tif 000005
【図４】
0003146010.tif 000006
【図５】
0003146010.tif 000007
【図６】
0003146010.tif 000008
【図７】
0003146010.tif 000009
【図８】
0003146010.tif 000010
【図９】
0003146010.tif 000011
【図１０】
0003146010.tif 000012
【図１１】
0003146010.tif 000013
【図１２】
0003146010.tif 000014
【図１３】
0003146010.tif 000015
【図１４】
0003146010.tif 000016